(57)【特許請求の範囲】
【請求項１】
駆動部と光源ユニットとを備え、
前記駆動部は、第１回路部と第２回路部とを備え、
前記光源ユニットは、少なくとも２種類の色温度の異なる複数の第１ＬＥＤと複数の第２ＬＥＤと、前記第１ＬＥＤと前記第２ＬＥＤとが実装される基板とを備え、
前記第１回路部は前記第１ＬＥＤの点灯、非点灯、光出力を少なくとも制御し、前記第２回路部は前記第２ＬＥＤの点灯、非点灯、光出力を少なくとも制御し、
前記第１ＬＥＤの色温度は前記第２ＬＥＤの色温度より高く、
前記第１ＬＥＤおよび前記第２ＬＥＤの積算数と光束とが略比例関係にあり、最大光束値が調色範囲において略一定であり、
前記調色範囲において、前記第１ＬＥＤおよび前記第２ＬＥＤの点灯数を変えることにより色温度を変化させ、前記第１ＬＥＤおよび前記第２ＬＥＤ共、点灯しており、
前記調色範囲の高色温度から低色温度に向かって、前記第１ＬＥＤの点灯数が線型的に減少し、前記第２ＬＥＤの点灯数が線型的に増大する、照明器具。
【請求項２】
請求項１に記載の照明器具であって、
前記第１ＬＥＤの点灯数および前記第２ＬＥＤの点灯数のそれぞれが、５０００〜３０００Ｋの調色範囲で色温度に対し線型的に変化する、照明器具。
【請求項３】
請求項１または２に記載の照明器具であって、
前記調色範囲の最大高色温度において、前記第１ＬＥＤの点灯数が前記第２ＬＥＤの点灯数よりも多く、前記調色範囲の最低色温度において、前記第１ＬＥＤの点灯数が前記第２ＬＥＤの点灯数よりも少ない、照明器具。
【請求項４】
請求項１から請求項３のいずれか１項に記載した照明器具であって、
前記第２ＬＥＤの演色性が前記第１ＬＥＤの演色性に比べて優れ、前記第２ＬＥＤの実装数が第１ＬＥＤの実装数より多い、照明器具。
【請求項５】
請求項１から請求項４のいずれか１項に記載の照明器具であって、
前記第１ＬＥＤの色温度は、５０００Ｋ及至１００００Ｋであり、前記第２ＬＥＤの色温度は、２０００Ｋ及至３０００Ｋであり、前記調色範囲が、５０００Ｋ及至３０００Ｋである、照明器具。
【発明の詳細な説明】
【技術分野】
【０００１】
本発明は、複数の発光ダイオード（以下ＬＥＤと言う）などの光源を用いた照明器具に関するものである。
【背景技術】
【０００２】
近年、フィラメント電球や蛍光ランプに代わって、消費電力が少なく多様性のあるＬＥＤを光源とした照明器具が多く採用されるようになってきている。ＬＥＤを用いた照明器具には、シーリングライト、ダウンライト、スポットライト、等、があり、生活様式の多様性と相まって、光の集光、調光、調色の機能を備えてきている。また、店舗や病院等の目的に合わせた照明環境を作ることができる照明器具としての需要も伸びてきている。
【０００３】
この種の照明器具の一例を図６に示す（特許文献１参照）。
【０００４】
図６は、従来の照明器具１００の側面図である。照明器具１００は、色温度の異なる二種の第１白光ＬＥＤ４１０と第２白光ＬＥＤ４２０とを備え、第１白光ＬＥＤ４１０と第２白光ＬＥＤ４２０とを互い違いに配列されて形成された棒状光源を、導光板Ｓの左右に配置している。第１白光ＬＥＤ４１０と第２白光ＬＥＤ４２０との色温度は、２２００Ｋ及至３０００Ｋ、３０００Ｋ及至４５００Ｋ、４５００Ｋ及至６５００Ｋ、６５００Ｋ及至１００００Ｋ、から選択され、制御システム（図示せず）を組み合わせることによって、照明器具１００の色温度及び明暗度を３０００Ｋ及至６０００Ｋの色温度範囲内で自由に調節することができる。また、電源制御を行って電流量や入力時間割合を制御することによって、照明器具１００の色温度を変えることができ、照明器具１００の全体的な輝度も調節でき、明暗調整は１００段階以上、色温度調整は２５６段階以上に達することができる。この照明器具１００は、オフィスの天井に設置することができ、均一な平面光を提供してフレア現象を減らす薄型の室内照明器具１００を提供することが開示されている。
【０００５】
照明器具の他の一例を図７に示す（特許文献２参照）。
【０００６】
図７は、従来の照明器具１００Ｓのブロック図である。照明器具１００Ｓは、商用電源ＡＣが供給される調光器であるリモコン受光部２００Ｓおよび点灯回路である駆動部３００Ｓと、光源モジュールである光源ユニット４００Ｓと、を備えている。駆動部３００Ｓには、光源ユニット４００Ｓの点灯、非点灯、光出力を制御する第１回路部３１０Ｓおよび第２回路部３２０Ｓとを備えている。光源ユニット４００Ｓには、色温度５０００Ｋの第１ＬＥＤ４１０Ｓが複数実装され、第１ＬＥＤ４１０Ｓと色温度の異なる色温度３００Ｋの第２ＬＥＤ４２０Ｓが複数実装されている。また、第１回路部３１０Ｓが第１ＬＥＤ４１０Ｓを制御し、第２回路部３２０Ｓが第２ＬＥＤ４２０Ｓを制御している。色温度は、第１ＬＥＤ４１０Ｓと第２ＬＥＤ４２０Ｓの光出力により決定されている。また、５０００Ｋでは、第１ＬＥＤ４１０Ｓの光出力が１００％であり、３０００Ｋでは、第２ＬＥＤ４２０Ｓの光出力が１００％であることが開示されている。
【先行技術文献】
【特許文献】
【０００７】
【特許文献１】特開２０１０−２６７６１０号公報
【特許文献２】特開２０１１−１８７１８１号公報
【非特許文献】
【０００８】
【非特許文献１】株式会社ビッグカメラＨＰ、ＬＥＤシーリングライト＜http://www.biccamera.com/bicbic/jsp/w/kaden/ledceiling/index.jsp＞
【発明の概要】
【発明が解決しようとする課題】
【０００９】
ところで、特許文献１では、照明器具１００に備えられた色温度の異なる第１白光ＬＥＤ４１０と第２白光ＬＥＤ４２０全体を制御点灯することは開示されている。また、特許文献２では、それぞれ独立した回路、第１回路部３１０Ｓと第２回路部３２０Ｓ、で、それぞれ第１ＬＥＤ４１０Ｓと第２ＬＥＤ４２０Ｓを制御し、色温度の変化は回路出力の変化で行っていることが開示されている。また、非特許文献１では、光の色と明るさの組み合わせの関係が開示されている。しかしながら、色温度の異なるＬＥＤの点灯数を変化させ、光束や色温度の変化を行う点は何ら開示されておらず、コストパフォーマンスの優れた照明器具を提供できないという問題がある。
【００１０】
本発明は、上記事由に鑑みてなされたものであり、その目的は、照明器具に実装される色温度の異なるＬＥＤを効率的に配置し、各特性を生かした点灯方式で調光、調色を行う照明器具を提供することにある。
【課題を解決するための手段】
【００１１】
本発明の照明器具は、駆動部と光源ユニットとを備え、前記駆動部は、第１回路部と第２回路部とを備え、前記光源ユニットは、少なくとも２種類の色温度の異なる複数の第１ＬＥＤと複数の第２ＬＥＤと、前記第１ＬＥＤと前記第２ＬＥＤとが実装される基板とを備え、前記第１回路部は前記第１ＬＥＤの点灯、非点灯、光出力を少なくとも制御し、前記第２回路部は前記第２ＬＥＤの点灯、非点灯、光出力を少なくとも制御し、前記第１ＬＥＤの色温度は前記第２ＬＥＤの色温度より高く、前記第１ＬＥＤおよび前記第２ＬＥＤの積算数と光束とが略比例関係にあり、最大光束値が調色範囲において略一定であり、前記調色範囲において、前記第１ＬＥＤおよび前記第２ＬＥＤの点灯数を変えることにより色温度を変化させ、前記第１ＬＥＤおよび前記第２ＬＥＤ共、点灯しており、前記調色範囲の高色温度から低色温度に向かって、前記第１ＬＥＤの点灯数が線型的に減少し、前記第２ＬＥＤの点灯数が線型的に増大する。
【００１２】
好ましくは、前記第１ＬＥＤの点灯数および前記第２ＬＥＤの点灯数のそれぞれが、５０００〜３０００Ｋの調色範囲で色温度に対し線型的に変化する。
【００１４】
好ましくは、前記調色範囲の最大高色温度において、前記第１ＬＥＤの点灯数が前記第２ＬＥＤの点灯数よりも多く、前記調色範囲の最低色温度において、前記第１ＬＥＤの点灯数が前記第２ＬＥＤの点灯数よりも少ない。
【００１５】
好ましくは、前記第２ＬＥＤの演色性が前記第１ＬＥＤの演色性に比べて優れ、前記第２ＬＥＤの実装数が第１ＬＥＤの実装数より多い。
【００１６】
好ましくは、前記第１ＬＥＤの色温度は、５０００Ｋ及至１００００Ｋであり、前記第２ＬＥＤの色温度は、２０００Ｋ及至３０００Ｋであり、前記調色範囲が、５０００Ｋ及至３０００Ｋである。
【発明の効果】
【００１７】
本発明によれば、色温度の異なるＬＥＤをそれぞれ点灯させ、その点灯数により色温度を変化させることにより、それぞれのＬＥＤの特性を生かし、照明器具の調色範囲も定めることにより、ＬＥＤの実装数の低減や容易な回路形成の提供に繋がり、コストダウンが図られコストパフォーマンスの向上された照明器具を提供できる。
【図面の簡単な説明】
【００１８】
【図１】本発明に係る照明器具の実施形態１を示すブロック図である。
【図２】本発明に係る実施形態１の色温度と光束と点灯数との関係を示すグラフである。
【図３】本発明に係る照明器具の実施形態２を示すブロック図である。
【図４】本発明に係る実施形態２の色温度と光束と点灯数との関係を示すグラフである。
【図５】本発明に係る照明器具の応用例で、（Ａ）はシーリングライトの斜視図、（Ｂ）は室内の天井にシーリングライトを取り付けたことを示す斜視図である。
【図６】従来の照明器具の側面図である。
【図７】従来の照明器具のブロック図である。
【発明を実施するための形態】
【００１９】
以下、本発明に係る照明器具の好適な実施形態を、図１〜図５に基づいて詳述する。
【００２０】
＜実施形態１の照明器具の説明＞
図１のブロック図に基づいて、本発明の照明器具１０の実施形態１を説明する。
【００２１】
照明器具１０は、商用電源ＡＣが供給されるリモコン受光部２０および駆動部３０と、光源ユニット４０と、を備えている。壁などに取り付けられるリモコン送信器（図示せず）から送られてくる信号を受信するリモコン受光部２０には、駆動部３０を制御する制御用マイコン２１が内蔵され、駆動部３０には、光源ユニット４０の点灯、非点灯、光出力を制御する第１回路部３１および第２回路部３２と、商用電源ＡＣが変換されたＤＣ電源３３と、が備えられている。
【００２２】
商用電源ＡＣとリモコン受光部２０と駆動部３０とは、信号線（制御通信線）２５で電気的に接続されている。光源ユニット４０には、光源である複数の第１ＬＥＤ４１と複数の第２ＬＥＤ４２とが基板４３に実装され、一つのパッケージとして構成され、そのパッケージが複数配列されている。光源ユニット４０と駆動部３０とは電気的に接続され、第１回路部３１が第１ＬＥＤ４１を制御し、第２回路部３２が第２ＬＥＤ４２を制御している。
【００２３】
第１ＬＥＤ４１は、例えば、色温度５０００Ｋ及至１００００Ｋであり、第１ＬＥＤ４１と色温度の異なる第２ＬＥＤ４２は、例えば、色温度２０００Ｋ及至３０００Ｋである。第１ＬＥＤ４１と第２ＬＥＤ４２の点灯数をそれぞれ変化させることにより、照明器具１０の調色を可能としている。ここで述べる調色とは、照明器具１０の発光する色温度の変化を調整することを意味する。また、第１ＬＥＤ４１および第２ＬＥＤ４２は、チップでもパッケージでも良く、第１ＬＥＤ４１は、例えば、青色ＬＥＤチップに励起される黄色蛍光体を被覆させた白色又は昼白色のＬＥＤであり、第２ＬＥＤ４２は、例えば、青色ＬＥＤチップに励起される黄色蛍光体および赤色蛍光体を被覆させた電球色のＬＥＤである。
【００２４】
第１ＬＥＤ４１と第２ＬＥＤ４２とは、上述の色温度の点で異なるばかりでなく、演色性と光変換効率の点でも異なっている。演色性では、第１ＬＥＤ４１より第２ＬＥＤ４２の方が優れている。例えば、第１ＬＥＤ４１はＲａ７０であり、第２ＬＥＤ４２はＲａ８５である。光変換効率では、第１ＬＥＤ４１の方が第２ＬＥＤ４２に比べて優れている。これは、第２ＬＥＤ４２の方が蛍光体の厚みを多く取るからである。
【００２５】
以上のように、それぞれの特性を生かすことにより、効率の良い照明器具１０が提供できる。平たく言えば、低演色性／高光変換効率／高色温度の第１ＬＥＤ４１と、高演色性／低光変換効率／低色温度の第２ＬＥＤ４２と、を組み合わせることにより、色温度全般に亘って比較的高演色性／比較的高光変換効率の照明器具１０が得られる。
【００２６】
図２は、実施形態１に基づく色温度と光束と点灯数との関係を示すグラフである。
【００２７】
グラフは、説明を分かりやすくするために、直線折れ線グラフで表している。色温度（相関色温度のことで、単位は絶対温度を示すＫ：ケルビンである）を横軸、光束（単位はｌｍ：ルーメンである）を左縦軸、第１ＬＥＤ４１および第２ＬＥＤ４２の点灯数（単位は個：点灯個数である）を右縦軸で表している。また、グラフ上、第１ＬＥＤ４１の点灯数を一点鎖線で、第２ＬＥＤ４２の点灯数を破線で、第１ＬＥＤ４１および第２ＬＥＤ４２の点灯数の合計である積算数（単位：個）を直線で表している。各色温度に於ける光束は点灯数に比例している（正の相関にある）ため、同様に直線で表している。グラフ上では、積算数と光束とを同じ直線で表している。
【００２８】
グラフでは、２７００Ｋ及至６５００Ｋの色温度範囲で表しているが、本発明に係る照明器具１０では、照明器具１０として商用で使用する範囲を調色範囲として定義し、調色範囲を、例えば、３０００Ｋ及至５０００Ｋとしている。一方、５０００Ｋ及至６５００Ｋと２７００Ｋ及至３０００Ｋは、照明器具１０の不使用範囲とし、グラフ上では斜線領域として表している。また、比較説明上、５０００Ｋ側を高色温度側、３０００Ｋ側を低色温度側としている。
【００２９】
説明を簡略化するために、本発明の一実施形態として、第１ＬＥＤ４１の実装数を７５個、第２ＬＥＤ４２の実装数を７５個としている。色温度５０００Ｋでは、第１ＬＥＤ４１が７５個、第２ＬＥＤ４２が２５個、合計１００個のＬＥＤが点灯している。また、色温度４０００Ｋでは、第１ＬＥＤ４１が５０個、第２ＬＥＤ４２が５０個、合計１００個のＬＥＤが点灯している。そして、色温度３０００Ｋでは、第１ＬＥＤ４１が２５個、第２ＬＥＤ４２が７５個、合計１００個のＬＥＤが点灯している。
【００３０】
照明器具１０の最大光束値（光出力１００％）は、調色範囲において、各色温度毎に同じであり、一定の値を維持している。
【００３１】
５０００Ｋから３０００Ｋに向かって、第１ＬＥＤ４１の点灯数は減少（一点鎖線グラフ参照）し、第２ＬＥＤ４２の点灯数は増大（破線グラフ参照）している。調色範囲の最大高色温度５０００Ｋでは、第１ＬＥＤ４１の点灯数（７５個）が第２ＬＥＤ４２の点灯数（２５個）よりも多く、最低色温度３０００Ｋでは、第２ＬＥＤ４２の点灯数（７５個）が第１ＬＥＤ４１の点灯数（２５個）よりも多くなっている。
【００３２】
以上、上述した本発明に係る照明器具１０は、色温度の異なる第１ＬＥＤ４１と第２ＬＥＤ４２を組合せ、それぞれの点灯数を第１回路部３１と第２回路部３２の制御によって行い、点灯数を変化させると共に色温度を変化させることができ、生活シーンに合わせた調色、調光が可能であり、多様な照明環境に適用した照明器具１０を提供できる。特に、第２ＬＥＤ４２の演色性が第１ＬＥＤ４１の演色性が優れているので、高色温度側の演色性を向上させることが可能である。
【００３３】
本発明に係る照明器具１０では、第１ＬＥＤ４１と第２ＬＥＤ４２とをそれぞれ７５個ずつとしている。従来技術に於ける回路出力での色温度変化では、１００個ずつ必要となるが、本発明に係る照明器具１０では、実装数の大幅な低減（約２５％）が可能となる。
【００３４】
また、照明器具１０の調色範囲において、各色温度における最大光束値が同じであることは、各色温度に対する調光がより自由となり、ユーザーのニーズに適した照明器具１０の提供を可能にしている。
【００３５】
実施形態１では、調色範囲の略中央おいて、第１ＬＥＤ４１と第２ＬＥＤ４２との点灯数を同じにすることにより、第１ＬＥＤ４１のみで視認される明るさの強さを低減することが可能である。
【００３６】
＜実施形態２の照明器具の説明＞
図３のブロック図に基づいて、本発明の照明器具１０の実施形態２を説明する。
【００３７】
実施形態２では、光源ユニット４０の第１ＬＥＤ４１が実施形態１に比べて少なく実装されている。実施形態１では、第１ＬＥＤ４１、第２ＬＥＤ４２、とも同数実装され、２列直列に配置されていたが、実施形態２では、第１ＬＥＤ４１が部分的に１列直列で、第２ＬＥＤ４２が２列直列で配置されている。その他、リモコン受光部２０および駆動部３０は、実施形態１と同様である。
【００３８】
図４は、実施形態２に基づく色温度と光束と点灯数との関係を示すグラフである。
【００３９】
調色範囲を３０００Ｋ及至５０００Ｋ、不使用範囲を５０００Ｋ及至６５００Ｋと２７００Ｋ及至３０００Ｋ（斜線領域）、５０００Ｋ側を高色温度側、３０００Ｋ側を低色温度側としている点は、実施形態１と同様である。また、グラフ線の種類も実施形態１と同様である。
【００４０】
実施形態２では、第１ＬＥＤ４１の実装数を６０個、第２ＬＥＤ４２の実装数を７５個として説明する。色温度５０００Ｋでは、第１ＬＥＤ４１が６０個、第２ＬＥＤ４２が２５個、合計８５個のＬＥＤが点灯している。また、色温度４０００Ｋでは、第１ＬＥＤ４１が４２個、第２ＬＥＤ４２が５０個、合計９２個のＬＥＤが点灯している。そして、色温度３０００Ｋでは、第１ＬＥＤ４１が２５個、第２ＬＥＤ４２が７５個、合計１００個のＬＥＤが点灯している。
【００４１】
グラフ上、第１ＬＥＤ４１の点灯数を一点鎖線で、第２ＬＥＤ４２の点灯数を破線で、第１ＬＥＤ４１および第２ＬＥＤ４２の点灯数の合計である積算数（単位：個）を直線で表している。各色温度に於ける光束は点灯数に比例している（正の相関にある）ため、同様に直線で表している。グラフ上では、積算数と光束とを同じ直線で表している。本グラフで表されているように、調色範囲の３０００Ｋ及至５０００Ｋにおいて、照明器具１０の最大光束値（光出力１００％）は、調色範囲において、各色温度毎に同じであり、略一定の値を維持している。
【００４２】
５０００Ｋから３０００Ｋに向かって、第１ＬＥＤ４１の点灯数は減少（一点鎖線グラフ参照）し、第２ＬＥＤ４２の点灯数は増大（破線グラフ参照）している。調色範囲の最大高色温度５０００Ｋでは、第１ＬＥＤ４１の点灯数（６０個）が第２ＬＥＤ４２の点灯数（２５個）よりも多く、最低色温度３０００Ｋでは、第２ＬＥＤ４２の点灯数（７５個）が第１ＬＥＤ４１の点灯数（２５個）よりも多くなっている。
【００４３】
実施形態１に比べ、実施形態２では相対的に第２ＬＥＤ４２の実装数が多くなっている。第１ＬＥＤ４１の演色性に比べ第２ＬＥＤ４２の演色性の方が優れているため、実施形態２の方が、演色性の良い照明器具１０となる。
【００４４】
実施形態１および実施形態２共に、照明器具１０の不使用範囲として定めている。本実施形態では、例えば、５０００Ｋ以上と３０００Ｋ以下としている。６５００Ｋの色温度では、青みが強く、あまり照明器具１０としては適切でない可能性がある。また、第２ＬＥＤ４２は、第１ＬＥＤ４１に比べて光変換効率が劣るため、照明器具１０の光変換効率を高くすることが可能となる。従って、照明器具１０の調色範囲を定めることは、ＬＥＤの実装数の低減や容易な回路形成の提供や光変換効率の向上に繋がり、コストダウンが図られコストパフォーマンスの向上された照明器具１０を提供できる。
【００４５】
図５は、照明器具１０の応用例を示す。
【００４６】
本発明に係る照明器具１０を、シーリングライトに適用することが可能である。シーリングライトとして、部屋の天井等に取り付け、生活様式に合わせて調色、調光することが可能である。また、照明方法は、直射照明でも良く、導光板等を利用する間接照明でも良い。更に、シーリングライトの他、ダウンライトやスポットライトにも照明器具１０は応用可能である。
【００４７】
第１ＬＥＤ４１と第２ＬＥＤ４２の２種類について説明したが、色温度の異なるＬＥＤの種類を増やしても良く、また、第１と第２に限定されるものではない。
【００４８】
実施形態に於いて、ＬＥＤの実装数および点灯数を具体的個数で説明したが、本発明の一実施形態であり、特に限定されるものではない。
【００４９】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【符号の説明】
【００５０】
１０：照明器具
２０：リモコン受光部
３０：駆動部
４０：光源ユニット
４１：第１ＬＥＤ
４２：第２ＬＥＤ
【図１】
0005861064.tif 000002
【図２】
0005861064.tif 000003
【図３】
0005861064.tif 000004
【図４】
0005861064.tif 000005
【図５】
0005861064.tif 000006
【図６】
0005861064.tif 000007
【図７】
0005861064.tif 000008